(57)【要約】【課題】１つのディスクで、ＨＤ ＤＶＤの情報もＤＶＤの情報も扱えるようにする。【解決手段】この発明では、（１）光透過層と、第１レーザ光によりアクセスされる第１記録層と、中間層と、第２レーザ光によりアクセスされる第２記録層がレーザ光入射方向に順に配置された片面２層光ディスクであること（２）第２記録層の面記録密度が第１記録層の面記録密度の３倍以上であること（３）第１記録層に第２記録層が形成されていることを示す情報が形成されていること（４）第２記録層に第１記録層が形成されていることを示す情報が形成されていることを基本要素としている。【選択図】  図８
2006155830.tif 000002
【特許請求の範囲】
【請求項１】
光透過層と、第１レーザ光によりアクセスされる第１記録層と、中間層と、第２レーザ光によりアクセスされる第２記録層がレーザ光入射方向に順に配置された片面２層光ディスクにおいて、
第２記録層の面記録密度が第１記録層の面記録密度の３倍以上であり、
第１記録層に、第２記録層が形成されていることを示す情報が形成され、
第２記録層に、第１記録層が形成されていることを示す情報が形成され、
ていることを特徴とする光ディスク。
【請求項２】
第1層のリードインエリアに、第２層が形成されていることを示す情報が形成され、第２層のリードインエリア、またはＢＣＡエリアに、第１層が形成されていることを示す情報が形成されていることを特徴とする請求項１記載の光ディスク。
【請求項３】
第1層に収録されている映像・音響作品の初期画面情報に、第２層に関する情報が収録され、第２層に収録されている映像・音響作品の初期画面情報に、第1層に関する情報が収録されていることを特徴とする請求項１または請求項２の光ディスク。
【請求項４】
光透過層と、第１レーザ光によりアクセスされる第１記録層と、中間層と、第２レーザ光によりアクセスされる第２記録層がレーザ光入射方向に順に配置された片面２層光ディスクで、かつ第２記録層の面記録密度が第１記録層の面記録密度の３倍以上であり、第１記録層に第２記録層が形成されていることを示す情報が形成され、第２記録層に第１記録層が形成されていることを示す情報が形成されている光ディスクを読み取る光ディスク装置であって、
第１レーザ光と第２レーザ光を発生可能な光ヘッドと、第１記録層から第２記録層が形成されていることを検出する手段と、第２記録層から第１記録層が形成されていることを検出する手段と、第１レーザ光か第２レーザ光を選択的に発生させる制御手段を備えた光ディスク装置。
【請求項５】
制御手段は、ユーザインタフェースによる利用者入力に基づいて第１レーザ光か第２レーザ光を選択する請求項４に記載の光ディスク装置。
【請求項６】
光透過層と、第１レーザ光によりアクセスされる第１記録層と、中間層と、第２レーザ光によりアクセスされる第２記録層がレーザ光入射方向に順に配置された片面２層光ディスクで、第２記録層の面記録密度が第１記録層の面記録密度の３倍以上であり、光ディスクの第1層に収録されている映像・音響作品の初期画面情報に、第２層に関する情報が収録され、第２層に収録されている映像・音響作品の初期画面情報に、第1層に関する情報が収録されている光ディスクを読み取りその情報から映像・音響作品情報をディスプレイに表示することが可能な再生装置であって、
第１レーザ光と第２レーザ光を発生可能な光ヘッドと、再生している映像・音響作品の初期画面情報からユーザインタフェースによる利用者入力に基づいて、第１レーザ光または第２レーザ光を発生させ、第1の記録層または第２の記録層を選択的に再生する手段とを有することを特徴とする再生装置。  
【請求項７】
光透過層と、第１レーザ光によりアクセスされる第１記録層と、中間層と、第２レーザ光によりアクセスされる第２記録層がレーザ光入射方向に順に配置された片面２層光ディスクで、かつ第２記録層の面記録密度が第１記録層の面記録密度の３倍以上であり、第１記録層に第２記録層が形成されていることを示す情報が形成され、第２記録層に第１記録層が形成されていることを示す情報が形成されている光ディスクを読み取る光ディスク装置であって、
第１レーザ光を発生する光ヘッドと、第２記録層があることを検出する手段と、第２の記録層があることを利用者に知らせる手段を備えた光ディスク装置。
【請求項８】
光透過層と、第１レーザ光によりアクセスされる第１記録層と、中間層と、第２レーザ光によりアクセスされる第２記録層がレーザ光入射方向に順に配置された片面２層光ディスクであり、第２記録層の面記録密度が第１記録層の面記録密度の３倍以上であり、第１記録層に、第２記録層が形成されていることを示す情報が形成され、第２記録層に、第１記録層が形成されていることを示す情報が形成されている光ディスクを読み取る再生方法であって、
第1レーザ光をアクセスして、フォーカス状態を前記光ディスクの厚み方向へ往復移動させ、
前記第１記録層にフォーカスを合わせてゲイン調整を行い、フォーカスサーボをオンにし、続いてトラッキングサーボをオンし、
前記第1の記録層から上記の第２記録層が存在することを示す情報を検出し、
モニタに対して、ディスクに第２記録層が形成されていること、及び第1記録層だけを再生することができることのコメントを表示するようにしたことを特徴とする光ディスクの再生方法。
【請求項９】
光透過層と、第１レーザ光によりアクセスされる第１記録層と、中間層と、第２レーザ光によりアクセスされる第２記録層がレーザ光入射方向に順に配置された片面２層光ディスクであり、第２記録層の面記録密度が第１記録層の面記録密度の３倍以上であり、第１記録層に、第２記録層が形成されていることを示す情報が形成され、第２記録層に、第１記録層が形成されていることを示す情報が形成されている光ディスクを読み取る再生方法であって、
第２レーザ光をアクセスしフォーカス状態を前記光ディスクの厚み方向へ往復移動させ、第1記録層と第２記録層があることを検出し、
前記第２記録層にフォーカスを合わせてゲイン調整を行い、フォーカスサーボをオンにし、続いてトラッキングサーボをオンし、
前記第２記録層から、上記の第1記録層が存在することを示す情報を検出し、
モニタに対して、ディスクに第１記録層が形成されていること、及び、第２記録層だけを再生することができることのコメントを表示するようにしたことを特徴とする光ディスクの再生方法。
【請求項１０】
光透過層と、第１レーザ光によりアクセスされる第１記録層と、中間層と、第２レーザ光によりアクセスされる第２記録層がレーザ光入射方向に順に配置された片面２層光ディスクであり、第２記録層の面記録密度が第１記録層の面記録密度の３倍以上であり、第１記録層に、第２記録層が形成されていることを示す情報が形成され、第２記録層に、第１記録層が形成されていることを示す情報が形成されている光ディスクを再生する再生方法であって、
第1レーザ光を用いてフォーカス状態を前記光ディスクの厚み方向へ往復移動させ、前記第1記録層と第２記録層とがあることを検出し、
前記第1記録層にフォーカスを合わせてゲイン調整を行い、フォーカスサーボをオンにし、続いてトラッキングサーボをオンにし、前記第1の記録層から、上記の第２の記録層が存在することを示す情報を検出する、または、
前記第２レーザ光を用いてフォーカス状態を前記光ディスクの厚み方向へ往復移動させ、
前記第1記録層と前記第２記録層があることを検出し、
前記第２記録層にフォーカスを合わせてゲイン調整を行い、フォーカスサーボをオンにし、続いてトラッキングサーボをオンし、前記第２の記録層から、上記の第１記録層が存在することを示す情報を検出し、
第1記録層と第２記録層のいずれを再生するのかを選択させるためのコメントもしくはボタンをモニタに表示するようにしたことを特徴とする光ディスクの再生方法。
【発明の詳細な説明】
【技術分野】
【０００１】
この発明は、ＤＶＤのように映画や音楽などのデジタル化された映像音響作品などを蓄積する媒体となる光ディスク及び光ディスクの記録情報を読み取る光ディスク装置に関する。
【背景技術】
【０００２】
＝＝＝ＤＶＤ規格の概要＝＝＝
周知のように、デジタル映像を蓄積する光ディスクとして、ＤＶＤ(デジタル多用途ディスク)があり、主に映画コンテンツの蓄積・配布（デジタル作品出版物）として全世界で幅広く使われている。このＤＶＤは、ＤＶＤフォーラムが作成した規格で、ＤＶＤ規格（ＤＶＤ Book）（www.dvdforum.org参照)として公開され、また国際規格やJISとしても定められている。ここでは、ＤＶＤ物理規格の１つである、１２０ｍｍＤＶＤ−ＲＯＭの国際規格に関連した文献としてＥＣＭＡ２６７がある。以下ＥＣＭＡ２６７にしたがって簡単に説明する。
【０００３】
１２０ｍｍＤＶＤ−ＲＯＭには、片面仕様で記録層が１層のものと２層のもの、そしてこれらを両面化したもの、合わせて４種類のディスクがある。映画などのコンテンツの蓄積配布では、主に片面仕様の２つのタイプがある。ディスクの容量は、片面１層のディスクで４.７ＧＢ、片面２層のディスクで各層４.２７ＧＢ（ディスクあたりは８.５４ＧＢ）である。
【０００４】
一方、上記ＤＶＤ（既存ＤＶＤと称する）に比べて、さらに大容量のディスクの開発が要望されている。これは、ＨＤ（High Definition）映像（高精細映像）を、1枚のディスク（次世代ＤＶＤと仮に称する）に入れたいという要望から生じている。
【非特許文献１】ＥＣＭＡ２６７
【発明の開示】
【発明が解決しようとする課題】
【０００５】
上記の次世代ＤＶＤが開発された場合、新たに次世代ＤＶＤ用に設計された次世代ＤＶＤ装置（ドライブあるいはプレーヤ）であれば、次世代ＤＶＤディスクだけではなく、現存ＤＶＤについても読めるように設計することは可能である。しかし、この次世代ＤＶＤは、現存ＤＶＤに比べ、記録密度、変調方式、信号処理、トラックフォーマットなどが大きく異なることになりため、従来のＤＶＤ装置（ドライブあるいはプレーヤ）では読み取ることができない。つまり、従来のＤＶＤ装置では、次世代ＤＶＤディスクに収録されたＨＤ映画コンテンツだけではなく、次世代ＤＶＤに収録された従来のＤＶＤ映画コンテンツも読み取ることができないなどの課題があり、次世代ＤＶＤを普及させる上で、阻害要因となることが考えられる。
【０００６】
そこでこの発明の目的は、上記のような課題に鑑みて、１つのディスクで、次世代ＤＶＤの情報も、現存ＤＶＤの情報も扱えるようにし、かつそれぞれのディスクの状態を再生装置及びユーザが把握しやすいようにした、光ディスク及び光ディスク装置及び光ディスク再生方法を提供することにある。
【課題を解決するための手段】
【０００７】
この発明は、上記の目的を達成するために、光透過層と、第１レーザ光によりアクセスされる第１記録層と、中間層と、第２レーザ光によりアクセスされる第２記録層がレーザ光入射方向に順に配置された片面２層光ディスクにおいて、第２記録層の面記録密度が第１記録層の面記録密度の３倍以上であり、第１記録層に、第２記録層が形成されていることを示す情報が形成され、第２記録層に、第１記録層が形成されていることを示す情報が形成されている光ディスクを基本とするものである。
【発明の効果】
【０００８】
この発明によれば、片側から第１記録層（ＤＶＤ層に相当）に第１レーザ光（赤色レーザ）、第２記録層（ＨＤ ＤＶＤ層に相当）に第２レーザ光（青紫色レーザ）でアクセス可能な光ディスクを提供することができる。したがって、ＤＶＤの映画コンテンツと、ＨＤ ＤＶＤの映画コンテンツの両方を１つのディスクに入れることができる。つまり、ＳＤ映像とＨＤ映像の両方を扱えるコンビネーションディスクとなる。
【０００９】
そして、従来のＤＶＤ対応光ディスク装置では、ＤＶＤのコンテンツを再生し、新規なＨＤ ＤＶＤ対応光ディスク装置では、ＨＤ ＤＶＤの映画コンテンツ、またはＨＤ ＤＶＤとＤＶＤの映画コンテンツの両方を再生することができる。
【００１０】
たとえば、同じ映画コンテンツをＤＶＤコンテンツとＨＤ ＤＶＤコンテンツとして用意し、この２つの映画コンテンツを１枚のディスクにいれておけば、ＤＶＤ対応装置だけしか持っていないユーザはＤＶＤ映画コンテンツを見ることができ、一方、ＨＤ ＤＶＤ対応装置を持っているユーザは、ＨＤ ＤＶＤ映画コンテンツを見ることができる。
【００１１】
現在、ＨＤ ＤＶＤ対応装置を持っていないユーザでも、将来、ＨＤ ＤＶＤ対応装置を購入すれば、新たにＨＤ ＤＶＤディスクを購入しなくても、既に購入したディスクでＨＤの映像を楽しむことができ、ユーザにとってそのメリットは大きい。
【００１２】
また、本発明によれば、ＤＶＤ層にＨＤ ＤＶＤ層が形成されていることを示す情報が形成され、ＨＤ ＤＶＤ層にＤＶＤ層が形成されていることを示す情報が形成されていることから、両方の情報を読み取ることのできる装置では、ＤＶＤ層かＨＤ ＤＶＤ層かの選択が容易である。さらに、ＤＶＤ層だけしか読み取れない装置でも、利用しているディスクにＨＤ ＤＶＤ層が形成されていることをユーザに知らせることができるなど、本発明は、ユーザにとってそのメリットは大きい。
【発明を実施するための最良の形態】
【００１３】
以下、図面を参照してこの発明の実施の形態を説明する。まず、この発明の理解を容易にするために、図1乃至図７を用いて、現存ＤＶＤと次世代ＤＶＤの技術について説明する。そして図８に本発明に係る次世代ＤＶＤの基本的構成を説明する。
【００１４】
＝＝＝片面１層ＤＶＤ＝＝＝
図１に片面１層ＤＶＤディスク１０の基本構造と光ヘッドの関係を示す。よく知られているように、ＤＶＤディスク１０は、０.６ｍｍ厚のディスク基板２枚を貼り合せた構造をもつ。１つは信号基板１１、もう１つは、ダミー基板１４で、記録層１５を内側にして、接着層１６で貼り合されている。通常これらの基板は、射出成形機を用いて、ポリカーボネートというプラスチック材料で形成される。
【００１５】
なお、信号基板１１には、映像情報やデータ情報などが、エンボスピットという形で、スパイラルトラックに形成される。記録層の情報を読み取る赤色レーザ１７（波長：６５０ｎｍ）は、対物レンズ１８（ＮＡ：０．６）で絞られ、信号基板１１の光透過層１３を通して、記録層１５にフォーカスされる。
【００１６】
ノーマルシングルレイヤー（Normal single layer）の場合は、光透過層１３の厚みの中心値は６００μｍで、光入射面から最小５７０μｍ、最大６３０μｍの位置にある。この値は、対物レンズ１８の球面収差を考慮して定められている。最近、ＤＶＤ規格として、片面１層のディスクでも、記録層の中心値が５６５μｍで、光入射面から最小５５０μｍ、最大５８０μｍにある、Thin single layerの場合が追加された（www.dvdforum.orgまたは、ＤＶＤ-Book参照)。
【００１７】
図２は、片面1層ＤＶＤディスクの記録エリアの構成を示す図である。ＤＶＤ記録層１５は、内周側からリードインエリア３１、データエリア３２、リードアウトエリア３３からなる。このリードインエリア３１には、Control data zone（コントロールデータゾーン）３７が形成されている。その他、Initial zone(イニシャルゾーン)３４, Reference code zone(リファレンスゾーン)３５, Buffer zone(バッファーゾーン)３６, Buffer zone(バッファーゾーン)３８がある。 
＝＝＝片面２層ＤＶＤ＝＝＝
図３は片面２層ディスク２０の基本構造と光ヘッドの関係を示す。よく知られているように、このディスクは、第１記録層（Ｌ０層）２５と第２記録層（Ｌ１層）２６をもち、ディスクの片面から、この２つの記録層にアクセスして信号の再生ができる。図示しているとおり、光入射面２２から見ると、光透過層２３を通して、手前が第１記録層２５で、その奥側が第２記録層２６である。各記録層へのアクセスは、対物レンズ１８のレンズアクチュエータで動かし、層間ジャンプさせることで実現している。
【００１８】
この２層ディスクの作製は、片面１層ディスクとほぼ同じように作製できるのが大きな特徴である。まず、射出成形機で、第１記録層２５の形成される信号基板２１と、第２記録層２６の形成される信号基板２４を別々に作製する。次に、第１記録層２５には半透明膜、第２記録層２６には高反射率膜をつけ、その後両方の基板を、記録層を内側にして、中間層２７で貼り合わせれば完成である。
【００１９】
光入射面２２からみた第１記録層２５と第２記録層２６の位置は、対物レンズの球面収差や記録層間のクロストークを考慮し、第１記録層２５の位置は最小５５０μｍ、第２記録層２６の位置は、最大で６４０μｍに限定され、かつ２つの層間（中間層２７）の距離は、５５μｍ±１５μｍ（４０μｍ〜７０μｍ）と定められている。この中間層２７は、通常２つの基板を貼り合せたときに出来る接着層の厚みで、実際の製造では、貼り合わせの精度と信号基板２１の成形精度を考慮して決められる。
【００２０】
＝＝＝記録層の反射率など＝＝＝
一方、記録層の反射率は、
１層ディスク：45-85%（PBS有り）、60-85%（PBS無し：円偏光）
２層ディスク：18-30%（PBS有り）、18-30%（PBS無し：円偏光）
と決められている。
【００２１】
また、ディスクの反射率(Reflectivity)を示す情報は、データフレームにある4バイトのＩＤ（Identification Data）のb29（第29番目のビット）で、
0b：反射率が40％より大きい場合（PBS有り）
1b：反射率が40％より小さい場合（PBS有り）
この他、ＩＤには、
Area type      b27−b26  
00b    In the Data area
01b    In the Lead -in area
10b    In the lead-out area 
11b    in the Middle area
Data type      b25
0b    Read-only data
1b    Other than read only data
Layer number   b24
0b    Layer0 of DL discs or on SL discs 
1b    Layer1 of DL discs
が記述されている。上記は、ビットの記述内容と、その意味内容をペアにして示している。
【００２２】
また、ディスクが１層か２層かを示す情報は、図２のリードインエリア３１に形成されているControl data zone（コントロールデータゾーン）３７の物理フォーマット情報（Physical format information）のバイトポジション（ＢＰ２）で、ディスクの構成（Disc structure）が定義され、その中の第6と第5番目のビット（b6-b5）が記録層の数を示す。
【００２３】
00b  Single
01b  Dual
Others:  reserve      
さらに、１層ディスクと２層ディスクでは、１層当たりの容量が異なるが、これは線記録の違いである。コントロールデータゾーン３７のPhysical format informationの（BP3）に記録密度が定義されており、b7-b4が線密度で
0000b：0.267μm  (1層の場合の線記録密度）
0001b：0.293μm  (2層の場合の線記録密度)
となっている。
【００２４】
＝＝＝次世代ＤＶＤ＝＝＝
一方、最近よく報道されているように、ＨＤ（High Definition）映像（高精細映像）をディスク１枚に入れたいという要望から、青紫色半導体レーザ(以降、青紫色レーザ)を用いて、ＤＶＤの３倍以上の高密度化したＨＤ ＤＶＤが提案され、ＤＶＤフォーラムで規格化が行われている（www.dvdforum.org参照。まだ商品化されていない）。ＨＤ ＤＶＤは、従来のＤＶＤと同じディスク構造を有し、容量は、片面１層ディスクが１５ＧＢ、両面２層ディスクが３０ＧＢである。これらの大容量化は、レーザ光の短波長化、高NA化、変調方式、新しい信号処理（PRML：Partial Response and Most Likelyhood）などの新しい技術で実現されている。
【００２５】
図４に、片面１層ＤＶＤディスク４０の基本構造と光ヘッドの関係を示す。基本的にはＤＶＤと同じだが、高密度・大容量化のため、信号の読み出しには青紫色レーザ光４７（波長４０５ｎｍ）とＮＡが０．６５の対物レンズ４８が用いられている。このため、球面収差やチルトによるコマ収差などがＤＶＤの場合より厳しくなる。このため、光透過層４３の厚みは、光入射面４２から最小５８７μｍ、最大６１３μｍの位置にある。
【００２６】
第５図は、片面１層ＨＤ ＤＶＤディスクの記録エリアの構成を示す図である。ＨＤ ＤＶＤ記録層５５（図４では記録層４５）には、ＤＶＤの場合と同様、リードインエリア６１、データエリア６２、リードアウトエリア６３、そしてＢＣＡエリア７１が形成されている。ＢＣＡ（バーストカッティングエリア）７１は、ＤＶＤの場合もオプションで形成することが可能であるが、ＨＤ ＤＶＤの場合は、形成することが必須となっている。リードインエリア６１は、システムリードインエリア７２、Connection zone(接続ゾーン)６８、Data lead in area(データリードインエリア)７３からなる。Control data zone(コントロールデータゾーン)６６は、System lead in area(システムリードインエリア)７２に形成されている。その他、システムリードンエリア７２には、Initial zone（イニシャルゾーン）６４、Buffer zone(バッファーゾーン)６５，６７、がある。またデータリードインエリア７３には、Reserved area(リザーブドエリア)６９、Reference code zone(リファレンスコードゾーン)７０がある。
【００２７】
図６は、片面２層ＨＤ  ＤＶＤディスク５０の基本構造と光ヘッドの関係を示す図である。1層ディスクの場合と同様、短波長化・高ＮＡ化に伴い、球面収差やチルトによるコマ収差などが厳しくなる。第１記録層（Ｌ0層）５５の位置は、最小５７８μｍ、また第２記録層（Ｌ１層）５６の位置は、最大６２２μｍに限定され、２つの層間距離（中間層５７）は、２０μｍ±５μｍ（１５μｍ〜２５μｍ）と定められている。
【００２８】
＝＝＝既存ＤＶＤと次世代ＤＶＤ＝＝＝
このように、ＨＤ映像を蓄積可能な大容量のＨＤ ＤＶＤが提案され、新たにＨＤ ＤＶＤ用に設計されたＨＤ ＤＶＤ装置（ドライブあるいはプレーヤ）であれば、ＨＤ ＤＶＤディスクだけではなく、ＤＶＤについても読めるように設計することは可能である。しかし、このディスクは、ＤＶＤに比べ、記録密度、変調方式、信号処理、トラックフォーマットなどが大きく異なるため、従来のＤＶＤ装置（ドライブあるいはプレーヤ）では読み取ることができない。つまり、従来のＤＶＤ装置では、ＨＤ ＤＶＤディスクに収録されたＨＤ映画コンテンツだけではなく、ＨＤ  ＤＶＤに収録された従来のＤＶＤ映画コンテンツも読み取ることができないなどの課題があり、ＨＤ ＤＶＤを普及させる上で、阻害要因となっている。
【００２９】
そこで発明者等は、１つのディスクで、ＨＤ ＤＶＤの情報もＤＶＤの情報も扱い、かつそのディスクの状態を再生装置及びユーザに分かるように工夫している。
【００３０】
＜この発明の基本的概念を述べると以下のようになる＞
この発明に係る光ディスクは、基本的に、つぎの事項（１）〜（４）により特定されるものである。
【００３１】
（１）光透過層と、第１レーザ光によりアクセスされる第１記録層と、中間層と、第２レーザ光によりアクセスされる第２記録層がレーザ光入射方向に順に配置された片面２層光ディスクであること
（２）第２記録層の面記録密度が第１記録層の面記録密度の３倍以上であること
（３）第１記録層に第２記録層が形成されていることを示す情報が形成されていること
（４）第２記録層に第１記録層が形成されていることを示す情報が形成されていること
また、この発明に係る光ディスクは、上記の事項を基本とし、つぎの事項（５）（６）を加えて実施することができる。
【００３２】
（５）第１層のリードインエリアに第２層が形成されていることを示す情報が形成されていること、
（６）第２層のリードインエリアまたはＢＣＡエリアに第１層が形成されていることを示す情報が形成されていること
この発明に係る光ディスク装置は、上記に対し、つぎの事項（７）（８）を加えて実施することができる。
【００３３】
（７）第１層に収録されている映像・音響作品の初期画面情報に、第２層に関する情報が収録されていること
（８）第２層に収録されている映像・音響作品の初期画面情報に、第１層に関する情報が収録されていること
この発明に係る光ディスク装置は、つぎの事項（９）〜（1４）により特定されるものである。  
（９）光ディスクに記録された情報を読み取る装置であること
（１０）光ディスクは、光透過層と、第１レーザ光によりアクセスされる第１記録層と、中間層と、第２レーザ光によりアクセスされる第２記録層がレーザ光入射方向に順に配置されていること
（１１）第２記録層の面記録密度が第１記録層の面記録密度の３倍以上であること
（１２）第１記録層に第２記録層が形成されていることを示す情報が形成されていること
（１３）第２記録層に第１記録層が形成されていることを示す情報が形成されていること
（１４）情報を読み取る装置は、第１レーザ光と第２レーザ光を発生可能な光ヘッドと、第１記録層から第２記録層が形成されていることを検出する手段と、第２記録層から第１記録層が形成されていることを検出する手段と、第１レーザ光か第２レーザ光を選択的に発生させる制御手段を備えること。
【００３４】
また、この発明に係る光ディスク装置は、上記の事項を基本とし、つぎの事項（1５）を加えて実施することができる。  
（1５）制御手段は、ユーザインタフェースからの利用者入力に基づいて第１レーザ光か第２レーザ光を選択すること
この発明に係る光ディスク装置は、つぎの事項（１６）〜（２１）により特定されるものである。  
（１６）光ディスクに記録された情報を読み取る装置であること
（１７）光ディスクは、光透過層と、第１レーザ光によりアクセスされる第１記録層と、中間層と、第２レーザ光によりアクセスされる第２記録層がレーザ光入射方向に順に配置されていること
（１８）第２記録層の面記録密度が第１記録層の面記録密度の３倍以上であること
（１９）第１記録層に第２記録層が形成されていることを示す情報が形成されていること
（２０）第２記録層に第１記録層が形成されていることを示す情報が形成されていること
（２１）情報を読み取る装置は、第１レーザ光と第２レーザ光を発生可能な光ヘッドと、
第２記録層があることを検出する手段と、第２の記録層があることを利用者に知らせる手段を備えた装置であること。
【００３５】
この発明に係る光ディスク装置は、つぎの事項（２２）〜（２７）により特定されるものである。  
（２２）光ディスクの情報を読み取りその情報から映像・音響作品情報をディスプレイに表示することが可能な再生装置であること
（２３）光ディスクは、光透過層と、第１レーザ光によりアクセスされる第１記録層と、中間層と、第２レーザ光によりアクセスされる第２記録層がレーザ光入射方向に順に配置されていること
（２４）第２記録層の面記録密度が第１記録層の面記録密度の３倍以上であること
（２５）第１記録層に収録されている映像・音響作品の初期画面情報に、第２記録層に関する情報が収録されていること
（２６）第２記録層に収録されている映像・音響作品の初期画面情報に、第１記録層に関する情報が収録されていること
（２７）再生装置は、第１レーザ光と第２レーザ光を発生可能な光ヘッドと、再生している映像・音響作品の初期画面情報からユーザインタフェースによる利用者入力に基づいて、第１レーザ光または第２レーザ光を発生させ、第１の記録層または第２の記録層を選択的に再生する手段を備えた装置であること。
【００３６】
上記したこの発明によれば、片側から第１記録層（ＤＶＤ層に相当）に第１レーザ光（赤色レーザ）、第２記録層（ＨＤ ＤＶＤ層に相当）に第２レーザ光（青紫色レーザ）でアクセス可能な光ディスクを提供することができる。したがって、ＤＶＤの映画コンテンツと、ＨＤ ＤＶＤの映画コンテンツの両方を１つのディスクに入れることができる。つまり、ＳＤ映像とＨＤ映像の両方を扱えるコンビネーションディスクとなる。
【００３７】
そして、従来のＤＶＤ対応光ディスク装置では、ＤＶＤのコンテンツを再生し、新規なＨＤ ＤＶＤ対応光ディスク装置では、ＨＤ ＤＶＤの映画コンテンツ、またはＨＤ ＤＶＤとＤＶＤの映画コンテンツの両方を再生することができる。
【００３８】
たとえば、同じ映画コンテンツをＤＶＤコンテンツとＨＤ ＤＶＤコンテンツとして用意し、この２つの映画コンテンツを１枚のディスクにいれておけば、ＤＶＤ対応装置だけしか持っていないユーザはＤＶＤ映画コンテンツを見ることができ、一方、ＨＤ ＤＶＤ対応装置を持っているユーザは、ＨＤ ＤＶＤ映画コンテンツを見ることができる。
【００３９】
現在、ＨＤ ＤＶＤ対応装置を持っていないユーザでも、将来、ＨＤ ＤＶＤ対応装置を購入すれば、新たにＨＤ ＤＶＤディスクを購入しなくても、既に購入したディスクでＨＤの映像を楽しむことができ、ユーザにとってそのメリットは大きい。
【００４０】
また、本発明によれば、ＤＶＤ層にＨＤ ＤＶＤ層が形成されていることを示す情報が形成され、ＨＤ ＤＶＤ層にＤＶＤ層が形成されていることを示す情報が形成されていることから、両方の情報を読み取ることのできる装置では、ＤＶＤ層かＨＤ ＤＶＤ層かの選択が容易である。さらに、ＤＶＤ層だけしか読み取れない装置でも、利用しているディスクにＨＤ ＤＶＤ層が形成されていることをユーザに知らせることができるなど、本発明は、ユーザにとってそのメリットは大きい。
【００４１】
＝＝＝この発明の光ディスクの基本構成＝＝＝
図７、図８にこの発明の一実施例による光ディスク８０と光ヘッドの関係を示す。図８には、図２と図５に示したディスクを張り合わせた様子を示している。
【００４２】
図７に示すように、光ディスク８０は、第１基板８１と第２基板８４で構成され、レーザ光の光入射面８２に対し、近い方に半透明膜からなる第１記録層（ＤＶＤ層に相当）８５が形成されているとともに、遠い方に高反射膜からなる第２記録層（ＨＤ ＤＶＤ層に相当）８６が形成されている。
【００４３】
ＨＤ ＤＶＤ層８６が青紫色レーザ光で再生できるためには、図６で説明したように、最小５７８μｍ、最大６２２μｍの間になければならない（球面収差の制限）。また、ＤＶＤ層８５は、図１で説明したように、Thin single layerの場合、最小５５０μｍ、最大５８０μｍの間になければならない（最小５５０μｍは球面収差の制限）。
【００４４】
一方、中間層８７は、ＤＶＤ層８５とＨＤ ＤＶＤ層８６の間で生じるクロストークを考慮して決められ、ＨＤ ＤＶＤの場合は、１５μｍ以上、ＤＶＤの場合は４０μｍとなっているが、いずれも光学系に依存する。
【００４５】
これらを考慮し、本発明では、第１記録層（ＤＶＤ層）８５は、光入射面８２から５５０μｍ〜５７５μｍ、中間層８７は２８μｍ〜４７μｍ、第２記録層（ＨＤ ＤＶＤ層）８６は、光入射面８２から５７８μｍ〜６２２μｍに決めた。
【００４６】
＝＝＝反射率など＝＝＝
次に、すでに大量に市販されている従来のＤＶＤ装置で、この光ディスクが片面１層のThin single layerディスク として認識されるためには、赤色レーザ光１７に対し、ＤＶＤ層８６から戻ってくる信号光は４５％以上なければならない。一方、同じ光ディスクに青紫色レーザ光４７を照射した場合、ＨＤ ＤＶＤ層８６から戻ってくる信号光は、この光でフォーカス及びトラッキングサーボがかかり、かつ信号が再生できなければならない。
【００４７】
青紫色レーザ光に対するＨＤ ＤＶＤ規格の反射率の規定は、
ＨＤ ＤＶＤ−ＲＯＭの場合
片面１層ディスク  40%−70%（複屈折を含む）
片面２層ディスク  18％−32％（複屈折を含む）  
ＨＤ ＤＶＤ Rewritable（at system lead in area）      
片面１層ディスク  4％−8％ （複屈折を含む）
となっている。
【００４８】
本発明の光ディスクの場合は、ＨＤ ＤＶＤ層の位置を、ＨＤ ＤＶＤ−ＲＯＭの片面２層ディスクと同じにしたので、反射率がこの規定に収まるのが望ましい。しかしながら、この光ディスクのＨＤ ＤＶＤ層については、ＨＤ ＤＶＤがまだ商品化されていないことから、ＨＤ ＤＶＤ規格に新たな規定を盛り込むことが可能である。その場合、反射率の下限値は、ＨＤ ＤＶＤ-Rewritableディスクより大きい必要がある。
【００４９】
次に、ＤＶＤ層８５のフラグ情報と識別情報について説明する。
【００５０】
＝＝＝フラグ情報＝＝＝
本発明の光ディスクで、ＤＶＤ層８５を通常の片面１層ＤＶＤ−ＲＯＭディスクとして扱う必要がある。そこで、データフレームのＩＤ及びコントロールデータゾーン３７ のPhysical format informationの（ＢＰ２）は、片面１層のＤＶＤ−ＲＯＭディスクとして設定する。
【００５１】
ＩＤ（４バイト）の設定
b29：    0b      反射率が４０％より大きい場合
b24：    0b      シングルレーヤディスク 
これ以外の設定は、通常のＤＶＤ−ＲＯＭディスクと同じである。
【００５２】
つまりＩＤ内のb29に0bを記述し、反射率が４０％より大きいことを示し、b24に0bを記述し、シングルレーヤディスクであることを示す。
【００５３】
コントロールデータゾーンのPhysical format informationの設定                
（ＢＰ２）
b6-b5：  00b      Single （レイヤーの数）
つまりバイトポジションＢＰ２内の第6、第5ビット目を00ｂとし、レイヤー数がシングルであることを示す
これ以外の設定は、通常のＤＶＤ−ＲＯＭディスクと同じである。
【００５４】
＝＝＝識別情報＝＝＝
ＤＶＤ層８５に、ＨＤ ＤＶＤ層８６が形成されていることを示す情報は、コントロールデータゾーンのPhysical format informationの（ＢＰ２）にあるLayer typeのb3を利用する。このビットは、ＤＶＤ−ＲＯＭディスク以外のＤＶＤ−Ｒ/ＲＷディスク、ＤＶＤ−ＲＡＭディスクなどの記録形ＤＶＤでもReservedになっており、このビットを使っても影響がでない。
【００５５】
そこで、上記のコントロールデータゾーンの設定に加え
コントロールデータゾーンのPhysical format informationの（ＢＰ２）
b3：    1b       第1記録層にＤＶＤ層、第２記録層（ＨＤ ＤＶＤ層）がある
ことを設定する。
【００５６】
これ以外に、コントロールデータゾーンのPhysical format informationの（ＢＰ２）
には、b7がReservedとなっていることから、
b7：    1b       第1記録層にＤＶＤ層、第２記録層（ＨＤ ＤＶＤ層）がある
と設定しても良い。つまり第7ビット目に1bを記述し、第1記録層はＤＶＤ層であり、第２記録層がＨＤ  ＤＶＤであることを示すのである。 
なお、コントロールデータゾーンのPhysical format informationは、全部で２０４８バイトあり、その大半の（ＢＰ）がReservedとなっていることから、他の記録形ディスクとかち合わない範囲で使用することは可能である。
【００５７】
次に、ＨＤ ＤＶＤ層８６のフラグ情報と識別情報について説明する。
【００５８】
＝＝＝フラグ情報＝＝＝
本発明の光ディスクで、ＨＤ ＤＶＤ層８６を通常の片面１層ＤＶＤ−ＲＯＭディスクとして扱う必要がある。ただし、反射率は低いので、再生条件などを示す情報として、反射率が40％より小さい場合に設定する。データフレームのＩＤ及びコントロールデータゾーン６６ のPhysical format informationの（ＢＰ２）は、片面１層のＤＶＤ−ＲＯＭディスクとして設定する。
【００５９】
ＩＤ（４バイト）の設定
b29：    1b      反射率が４０％より小さい場合
b24：    0b      シングルレーヤディスク 
つまり、ＩＤ内のb29に1bを記述し、反射率が４０％より小さいことを示し、b24に0bを記述し、シングルレイヤーのディスクであることを示す、
これ以外の設定は、通常のＨＤ ＤＶＤ−ＲＯＭディスクと同じである。
【００６０】
コントロールデータゾーンPhysical format informationの設定                  
（ＢＰ２）
b6-b5：  00b      Single （レイヤーの数）
これ以外の設定は、通常のＨＤ ＤＶＤ−ＲＯＭディスクと同じである。
【００６１】
＝＝＝識別情報＝＝＝
ＨＤ ＤＶＤ層８６に記述される情報であって、ＤＶＤ層８５が形成されていることを示す情報は、コントロールデータゾーンのPhysical format informationの（ＢＰ２）にあるレイヤータイプ（Layer type）のb3を利用する。このビットは、ＨＤ ＤＶＤ−ＲＯＭディスク以外のＨＤ ＤＶＤ−Ｒディスク、ＨＤ ＤＶＤ−Rewritableディスクの記録形ＨＤ ＤＶＤでもReservedになっており、このビットを使っても影響がでない。
【００６２】
そこで、上記のコントロールデータゾーンの設定に加え
コントロールデータゾーンのPhysical format informationの（ＢＰ２）において
b3：    1b       第1記録層にＤＶＤ層、第２記録層（ＨＤ ＤＶＤ層）がある
とする。つまり、b3に1bを記述し、第1記録層にＤＶＤ層があり、第２記録層にＨＤ  ＤＶＤ層があることを示すのである。
【００６３】
＝＝＝本発明対応の初期画面と再生＝＝＝
映像作品などの入ったＤＶＤディスクは、作品の全体を示すメニューが収録され、通常、リモコンスイッチのメニューボタンを押すことでディスプレイに表示することができる。 図９は、本発明対応のＤＶＤプレーヤ用の初期画面（１）を示す図（メニュー１５０）である。本発明に係るディスクがＤＶＤプレーヤに装填されると、例えば、最初の画面として、初期画面（１）が現れ、例えば、次のようなメッセージが現れる。コメント１５１として、”このディスクは、ＤＶＤ作品とＨＤ  ＤＶＤ作品を収録しています””このプレーヤはＤＶＤ作品を再生します。””ＨＤ  ＤＶＤプレーヤはＨＤ  ＤＶＤ作品を再生します”が現れる。またコメント１５２として、”このプレーヤは、ＤＶＤ作品だけ再生することができます。””ＨＤ  ＤＶＤ作品を再生するには、ＨＤ  ＤＶＤプレーヤをお使いください”が現れる。また、次のステップ進むためのボタン１５３が表示される。次のステップに移行すると、ＤＶＤに収録されているタイトルやチャプターの表示メニューになる。上記のコメントもディスクにメニューコンテンツとして記録されている。なおこのようなメニューに限らず、種々の方法が可能であり、外国語でもよい、またマーク、絵文字などを組み合わせたメッセージであってもよい。
【００６４】
図１０はＨＤ ＤＶＤプレーヤ用の初期画面（２）を示す図(メニュー１５４)である。本発明に係るディスクがＨＤ  ＤＶＤプレーヤに装填されると、例えば、最初の画面として、初期画面（２）が現れ、例えば、次のようなメッセージが現れる。コメント１５１は、先の初期画面（１）の場合と同じである。コメント１５５としては、”このプレーヤは、ＨＤ  ＤＶＤ作品だけ再生することができます。””ＤＶＤ作品を再生するには、ＤＶＤプレーヤをお使いください”が現れる。また、次のステップ進むためのボタン１５３が表示される。
【００６５】
図１１はＤＶＤ／ＨＤ ＤＶＤコンパチプレーヤ用の初期画面（３）を示す図（メニュー１５６）である。
【００６６】
コメント１５１は、先の初期画面（１）、（２）の場合と同じである。コメント１５７としては、”ＤＶＤとＨＤ  ＤＶＤの両方に対応しているプレーヤは両方の作品を再生することができます。””下のボタンでどちらかを選ぶことができます”が現れる。また、ＤＶＤ再生のためのボタン１５８、ＨＤ  ＤＶＤ再生のためのボタン１５９が表示される。
【００６７】
また、図１２（ａ）、図１２（ｂ）はＤＶＤプレーヤと初期画面の関係、図１３（ａ）、図１３（ｂ）は，ＨＤ ＤＶＤプレーヤと初期画面の関係、図１４（ａ）、図１４（ｂ）はＤＶＤ／ＨＤ ＤＶＤプレーヤと初期画面の関係を示す図である。
【００６８】
図１２（ａ）に示すように、今、従来のＤＶＤプレーヤ１６０に本発明のディスク８０をセットしたとする。このプレーヤには識別情報を読み取る機能がないので、プレーヤは、ＤＶＤメニュー１６１を表示する。一方、図１２（ｂ）に示すように、本発明対応のプレーヤ１６２は、識別情報を読み取とり判定する（１６３）ことができるので、本発明のディスクであれば、メニュー１５０を表示する。ユーザが１５３の  次へのボタン１５３を選択するとＤＶＤのメニュー１６１が現れ、ＤＶＤ作品を再生することができる。
【００６９】
図１３（ａ）に示すように、ＨＤ ＤＶＤプレーヤ１６５に本発明のディスク８０をセットする。このプレーヤには識別情報を読み取る機能がないので、プレーヤはＨＤ ＤＶＤのメニュー１６６を表示する。一方、図１３（ｂ）に示すように、本発明対応のプレーヤ１６７は、識別情報を読み取とり判定する（１６８）ことができるので、本発明のディスクであれば、メニュー１５４を表示する。ユーザが１５４の  次へのボタン１５３を選択するとＨＤ  ＤＶＤのメニュー１６６が現れ、ＨＤ ＤＶＤの作品を再生することができる。
【００７０】
図１４（ａ）に示すように、今、ＤＶＤ／ＨＤ ＤＶＤコンパチプレーヤに本発明のディスク８０をセットする。ＤＶＤディスクかＨＤ ＤＶＤディスクかを判別し（１７１）、ＤＶＤディスクであればＤＶＤのメニュー１７２が表示され、ＨＤ ＤＶＤディスクであればＨＤ ＤＶＤのメニュー１７３が表示される。ＤＶＤかＨＤ ＤＶＤかは、赤色レーザ光１７でリードインエリアの情報が読めればＤＶＤ、青紫色レーザ光４７で読めればＨＤ ＤＶＤと判断できる。
【００７１】
一方、図１４（ｂ）に示すように、本発明対応のＤＶＤ／ＨＤ ＤＶＤコンパチプレーヤの場合は、識別情報を読むことができるので（ステップ１７５）、セットされたディスクがＤＶＤ／ＨＤ ＤＶＤディスクであれば、メニュー１５６を表示する。ユーザは、表示画面のＤＶＤボタン１５８か、ＨＤ ＤＶＤボタン１５９を選択することで、ＤＶＤかＨＤ ＤＶＤを選択することができ、ＤＶＤの場合はメニュー１７２、ＨＤ ＤＶＤの場合はメニュー１７３が表示される。
【００７２】
もし、セットされたディスクがＤＶＤ／ＨＤ ＤＶＤディスクではなく、通常のＤＶＤまたはＨＤ ＤＶＤディスクの場合は、ＤＶＤ／ＨＤ ＤＶＤコンパチプレーヤ１７０と同じ振る舞いとなる。
【００７３】
次に、実際の再生についてもう少し詳しく説明する。
【００７４】
＝＝＝ＤＶＤ規格の光ディスク装置による再生＝＝＝
次に、本発明のディスクを本発明対応のＤＶＤプレーヤで再生する場合について、図１５、図１６及び図１７を用いて説明する。図１５は、ＤＶＤプレーヤの主要構成とディスプレイ１４３を示し、図１６はＤＶＤプレーヤのリモコンスイッチ１８０、図１７はＤＶＤプレーヤの動作フロー図である。
【００７５】
図15を参照して、ＤＶＤ装置の主要構成を簡単に説明する。スピンドルモータ１００は、ターンテーブルを回転駆動する。クランパ１０１は、光ディスク８０をターンテーブル上に把持する。スピンドルモータ１００は、モータドライバ１０２により制御される。光ヘッド１１０は、対物レンズ１８及び光学系１１３を含む。光学系１１３は、フォーカス及びトラッキングアクチュエータ１１６により駆動される。フォーカス及びトラッキングアクチュエータ１１６がアクチュエータドライバ１１８により制御されると、レーザ光が光ディスクのトラックに焦点を合わせ、かつ追従する。ラジアルアクチュエータ１１７は、光ヘッド１１０をディスクの半径方向へ移動させるものであり、アクチュエータドライバ１１８により制御される。
【００７６】
ディスクからの反射光は、光学系１１３から導出され、変換ユニット１１５のフォトディテクタで電気信号に変換される。この電気信号は、ゲイン調整ユニット１２０の再生信号増幅器でゲイン調整され、信号処理回路１２１に入力される。信号処理回路１２１では、復調処理及バッファリング、エラー訂正などが行われ、その出力はデータ処理回路１２２に入力される。ここでは、パケット分離、制御信号分離などが行われ、映像及び音声の情報はＡＶデコーダ１３０に入力される。ＡＶデコーダ１３０で復調された、映像信号及び音声信号、副映像信号などは、ＡＶ増幅器１３１を介してベースバンド信号として出力され、モニタ１４３に入力される。
【００７７】
サーボコントローラ１４０は、例えば４分割フォトダイオードからの再生信号を演算処理したフォーカスエラー信号及びトラッキングエラー信号を用いて、アクチュエータドライバ１１８に対して制御信号を与える。システムコントローラ１４１は、入力端末（例えばリモートコントローラ、あるいは操作キー入力部）１４２からの信号に応答して、装置の再生、停止、一時停止などを制御する。また、ゲイン調整ユニット１２０内のレーザダイオードドライバを制御する。レーザダイオードドライバは、光ヘッド１１０に搭載されているレーザダイオードを駆動し、この結果、レーザ光が出力される。
【００７８】
上記した本発明対応のＤＶＤプレーヤに本発明の光ディスク８０が装填されると、スピンドルモータ１００が所定の回転数まで回転する。次に、フォーカスアクチュエータ１１６に周期的な駆動電流が流され、光ヘッドが軸方向に上下する(記録層の探査…図１７のステップ２００−ステップ２０２)。ＤＶＤ層からのフォーカス信号レベルは、ＨＤ ＤＶＤ層からの信号レベルに比べて大きいので、ＤＶＤ装置は、このディスクを片面１層ＤＶＤディスクと認識し、第１層記録（ＤＶＤ層）へフォーカスオンにする（ステップ２１０）。続いて、トラッキングサーボがオンとなり、ディスクの適当な位置にオントラッキング（ステップ２１１）する。この状態で、Data frameのＩＤを読み（ステップ２２０）、ディスクのArea type, Reflectivity, Layer numberなどをチェックし、続いて、ラジアルアクチュエータ（Radial Actuator）１１７を駆動し、Lead in areaに移動させる（ステップ２２１）。次に、コントロールデータゾーン（Control data zone）に移動し（ステップ２２２）、Physical format informationの（BP2）から、Number of layer、 Layer typeを読み、このディスクが本発明の片面１層ＤＶＤディスクであることを確認する（ステップ２２３）。そして、図９のメニュー１５０を表示する。ユーザは、リモコンスイッチ１８０（図１６）を用いて、選択スイッチ１８３を用いて、上下、左右にカーソルを動かし、目的の位置にカーソルが来れば入力ボタン１８４を押すことで所定の映像を表示することができる。
【００７９】
＝＝＝ＨＤ ＤＶＤ規格の光ディスク装置による再生＝＝＝
次に、青紫色レーザ光を用いた本発明対応のＨＤ ＤＶＤ装置の場合について、図１８、図１９、及び図１６を用いて説明する。
【００８０】
図１８に示すようにＨＤ  ＤＶＤ装置は、図１５に示したＤＶＤ装置の構成と略同じような機能ブロックを有するので、同様な部分には図１５と同じ符号を付している。ただし、ＨＤ  ＤＶＤ装置の場合は、青紫色レーザ光を出力するレーザダイオードが光・電気変換ユニット１１５に設けられている。また対物レンズ４８は、開口数が先の対物レンズ１８とは異なる。
【００８１】
まず、フォーカスアクチュエータ１１６に周期的な駆動電流を流し、記録層の探査を行う（図１９のステップ２００−ステップ２０２）。そして、フォーカス信号から２つの記録層があり、かつそのレベルの違いから、本発明のディスクであることを認識する（ステップ２０３）。再生信号が小さいので、再生信号のゲインを調節し（ステップ２３０）、第２層（ＨＤ ＤＶＤ層）へフォーカスオンにし（ステップ２４０）、続いてトラッキングサーボをオンにすると（ステップ２４１）、適当な位置でオントラッキング状態となる。
【００８２】
続いて、Data frameのIDを読み（ステップ２５０）、ディスクのArea type, Reflectivity, Layer numberなどをチェックし、続いて、ラジアルアクチュエータ（Radial Actuator）１１７を駆動し、Lead in areaに移動させる（ステップ２５１）。次に、Control data zoneに移動し（ステップ２５２）、Physical format informationの（BP2）b3,  Number of layer、 Layer typeを読み、本発明の片面1層ＨＤ ＤＶＤディスクであることを確認する（ステップ２５３）。そして、図１０のメニュー１５４を表示する。ユーザは、図１６のリモコンスイッチ１８０を用いて、選択スイッチ１８３を用いて、上下、左右にカーソルを動かし、目的の位置にカーソルが来れば入力ボタン１８４を押すことで所定の映像を表示することができる。
【００８３】
＝＝＝ＤＶＤとＨＤ ＤＶＤの両規格に対応した光ディスク装置による再生＝＝＝
次に、図２０、図２１、図２２、図２３、及び図２４を用いて、赤色レーザ光と青紫色レーザ光の両方を用いる本発明に係るコンパチ装置について説明する。
【００８４】
図２０に示すようにコンパチブル装置は、図１５に示したＤＶＤ装置の構成及び図１８に示したＨＤ  ＤＶＤ装置の構成と、略同じような機能ブロックを有するので、同様な部分には図１５、図１８と同じ符号を付している。ただし、コンパチブル装置の場合は、赤色レーザ光を出力するレーザダイオードＬＤｒと、青紫色レーザ光を出力するレーザダイオードＬＤｂが光・電気変換ユニット１１５に設けられている。また対物レンズ１１１は、例えばレーザビームの波長に応じて選択性を有し、赤色レーザ光の場合と、青紫色レーザ光の場合とで適応的に開口数が変化する。或いは対物レンズは切り替えタイプであってもよい。
【００８５】
このコンパチブル装置においては、まず、青紫色レーザ光を先にオンにし、フォーカスアクチュエータ１１６に駆動電流を流し、記録層の探査を行う（図２２のステップ２００−ステップ２０２）。
【００８６】
そして、フォーカス信号のレベルから、本発明のディスクと判断する（ステップ２０３）。第1記録層と前記第２記録層に対するフォーカスエラー信号間では、例えば2倍以上の振幅差があり、ＤＶＤ側のフォーカスエラー信号レベルが大きく、ＨＤ  ＤＶＤ側のフォーカスエラー信号レベルが小さい。再生信号のゲインを調整して（ステップ２３０）、ＨＤ ＤＶＤ層にフォーカスオンする（ステップ２４０）、続いてトラッキングサーボをオンにすると（ステップ２４１）、適当な位置でオントラッキング状態となる。
【００８７】
続いて、Data frameのＩＤを読み（ステップ２５０）、ディスクのArea type, Reflectivity、 Layer numberなどをチェックし、続いて、ラジアルアクチュエータ（Radial Actuator）１１７を駆動し、Lead in areaに移動させる（ステップ２５１）。
【００８８】
後は、図１９で説明したような動作フローとなる。Control data zoneに移動し（ステップ２５２）、Physical format informationの（BP2）b3,  Number of layer、 Layer typeを読み、本発明の片面1層ＨＤ ＤＶＤディスクであることを確認する（ステップ２５３）。そして、図１１のメニュー１５６を表示すると（ステップ２５４）、この場合は、ＨＤ ＤＶＤボタン１５９がすでに選択されていることが表示される。また、ユーザの手元にある、図１７のリモコンスイッチ１８０では、ＨＤ ＤＶＤボタン１５９が点灯し、ＨＤ ＤＶＤ層が選択されていることが示される。
【００８９】
リモコンスイッチの選択スイッチ１８３を使ってＨＤ ＤＶＤボタン選択し、入力ボタン１８４を押すか、それともリモコンスイッチのＨＤ ＤＶＤボタン１５９を押すことで、ＨＤ ＤＶＤメニューを出すことができる。勿論、リモコンスイッチのメニューボタンを押すことでもＨＤ ＤＶＤメニューを出すことができる。そして、選択スイッチ１８３を用いて、上下、左右にカーソルを動かし、目的の位置にカーソルが来れば入力ボタン１８４を押すことでＨＤ ＤＶＤの映像を表示することができる。
【００９０】
ここで、次に、ユーザがリモコンスイッチ１８０を使って、ＤＶＤボタン１９０を選択すると、第２層（ＨＤ ＤＶＤ層）から第1層（ＤＶＤ層）へ切換わる（図２２、図２３のＤＶＤへの切換え信号１９０参照）。
【００９１】
すると、再生信号のゲインを調整し（図２２のステップ２０５）、ＤＶＤ層にフォーカスオンし（ステップ２１０）、その後トラッキングオンし（ステップ２１１）、続いてData frameのＩＤをチェックする（ステップ２２０）。続いてLead in areaへ移動する（ステップ２２１）。
【００９２】
後は図１７で説明したような動作フローとなる。Control data zone のフラグをチェックし（図１７、図２４のステップ２２２）、Physical format informationの（BP2）から、Number of layer、 Layer typeを読み、このディスクが本発明の片面１層ＤＶＤディスクであることを確認する（ステップ２２３）。そして、図１１のメニュー１５６を表示すると（ステップ２２４）、ＤＶＤボタン１５８がすでに選択されていることが表示される。またユーザの手元にある、図１７のリモコンスイッチ１８０では、ＤＶＤボタン１５８が点灯し、ＤＶＤ層が選択されていることが示される。
【００９３】
リモコンスイッチの選択スイッチ１８３を使ってＤＶＤボタン選択し、入力ボタン１８４を押すか、それともリモコンスイッチのＤＶＤボタン１５８を押すことで、ＤＶＤメニューを出すことができる。勿論、リモコンスイッチのメニューボタンを押すことでもＤＶＤメニューを出すことができる。そして、選択スイッチ１８３を用いて、上下、左右にカーソルを動かし、目的の位置にカーソルが来れば入力ボタン１８４を押すことでＤＶＤの映像を表示することができる。
【００９４】
ここで、次に、ユーザがリモコンスイッチ１８０を使って、ＤＶＤボタン１９０を選択し、第２層（ＨＤ ＤＶＤ層）再生から第1層（ＤＶＤ層）再生へ切換得ることもできる（図２２、図２４のＨＤ  ＤＶＤへの切換え信号１９１参照）。
【００９５】
＝＝＝他の実施形態＝＝＝
上記の説明では、本発明のディスクの識別情報として、コントロールデータゾーンのPhysical format informationの（ＢＰ２）のb3を使うことを示した。
【００９６】
これ以外に、コントロールデータゾーンのPhysical format informationの（ＢＰ２）
には、b7がReservedとなっていることから、
b7：    1b       第1記録層にＤＶＤ層、第２記録層（ＨＤ ＤＶＤ層）がある
と設定しても良い。
【００９７】
また、コントロールデータゾーンのPhysical format informationは、全部で２０４８バイトあり、その大半の（ＢＰ）がReservedとなっていることから、他の記録形ディスクとかち合わない範囲で使用することは可能である。
【００９８】
この他、ＨＤ ＤＶＤの場合は、ＢＣＡエリア７１に形成されるＢＣＡが必須となっているので、これを利用することができる。ＢＣＡは、全部で６４バイトあり、その構成は、BCA-Data fieldで定義される。この中にReservedバイトがあるので、これを識別情報として用いても良い。
【００９９】
本発明では、第２記録層の面記録密度が第１記録層の面記録密度の３倍以上であり、第１記録層に、第２記録層が形成されていることを示す情報が形成され、第２記録層に、第１記録層が形成されていることを示す情報が形成されていることを特徴とする光ディスクについて説明したが、第１記録層と第２記録層の関係が逆になっても同様に扱うことが出来る。
【０１００】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０１】
【図１】片面１層ＤＶＤディスクの基本構造と光ヘッドの関係を示す図である。
【図２】片面１層ＤＶＤディスクの記録エリア構成を示す図である。
【図３】片面２層ＤＶＤディスクの基本構造と光ヘッドの関係を示す図である。
【図４】片面１層ＤＶＤディスクの基本構造と光ヘッドの関係を示す図である。
【図５】片面１層ＨＤ ＤＶＤディスクの記録エリア構成を示す図である。
【図６】片面２層ＨＤ ＤＶＤディスクの基本構造と光ヘッドの関係を示す図である。
【図７】本発明に係る光ディスクの基本構造例と光ヘッドの関係を示す図である。
【図８】本発明に係る光ディスクの記録エリア構成例を示す図である。
【図９】本発明対応のＤＶＤ初期画面（１）の例を示す図である。
【図１０】本発明対応のＨＤ ＤＶＤ初期画面（２）の例を示す図である。
【図１１】本発明対応のＤＶＤ／ＨＤ ＤＶＤ対応の初期画面（３）の例を示す図である。
【図１２】ＤＶＤプレーヤと初期画面関係を示す説明図である。
【図１３】ＨＤ ＤＶＤプレーヤと初期画面関係を示す説明図である。
【図１４】ＤＶＤ／ＨＤ ＤＶＤコンパチプレーヤと初期画面関係を示す説明図である。
【図１５】ＤＶＤプレーヤの構成（本発明対応）例を示す図である。
【図１６】ＤＶＤプレーヤまたはＨＤ ＤＶＤプレーヤのリモコンスイッチの例を示す図である。
【図１７】ＤＶＤプレーヤの動作フローの例を示す図である。
【図１８】ＨＤ ＤＶＤプレーヤの構成（本発明対応）例を示す図である。
【図１９】ＨＤ ＤＶＤプレーヤの動作フロー（ＨＤ ＤＶＤのみ）の例を示す図である。
【図２０】ＤＶＤ／ＨＤ ＤＶＤコンパチブルプレーヤの構成（本発明対応）例を示す図である。
【図２１】ＤＶＤ／ＨＤ ＤＶＤコンパチブルプレーヤのリモコンスイッチの例を示す図である。
【図２２】ＤＶＤ／ＨＤ ＤＶＤコンパチブルプレーヤの動作フロー（１）の例を示す図である。
【図２３】ＤＶＤ／ＨＤ ＤＶＤコンパチブルプレーヤの動作フロー（２）の例を示す図である。
【図２４】ＤＶＤ／ＨＤ ＤＶＤコンパチブルプレーヤの動作フロー（３）の例を示す図である。
【符号の説明】
【０１０２】
１７…赤色レーザ光、１８…対物レンズ、３１…リードインエリア、３２…データエリア、３７…コントロールデータゾーン、４７…青紫色レーザ光、４８…対物レンズ、６１…リードインエリア、６２…データエリア、６６…コントロールデータゾーン、７１…ＢＣＡ、８５…第１記録層（ＤＶＤ層）、８６…第２記録層（ＨＤ ＤＶＤ層）、８７…中間層、
【図１】
2006155830.tif 000003
【図２】
2006155830.tif 000004
【図３】
2006155830.tif 000005
【図４】
2006155830.tif 000006
【図５】
2006155830.tif 000007
【図６】
2006155830.tif 000008
【図７】
2006155830.tif 000009
【図８】
2006155830.tif 000010
【図９】
2006155830.tif 000011
【図１０】
2006155830.tif 000012
【図１１】
2006155830.tif 000013
【図１２】
2006155830.tif 000014
【図１３】
2006155830.tif 000015
【図１４】
2006155830.tif 000016
【図１５】
2006155830.tif 000017
【図１６】
2006155830.tif 000018
【図１７】
2006155830.tif 000019
【図１８】
2006155830.tif 000020
【図１９】
2006155830.tif 000021
【図２０】
2006155830.tif 000022
【図２１】
2006155830.tif 000023
【図２２】
2006155830.tif 000024
【図２３】
2006155830.tif 000025
【図２４】
2006155830.tif 000026